【手続補正書】
【提出日】平成16年8月2日(2004.8.2)
【手続補正１】
【補正対象書類名】明細書
【補正対象項目名】全文
【補正方法】変更
【補正の内容】
【書類名】              明細書
【発明の名称】          生物農薬用容器
【特許請求の範囲】
【請求項１】  外蓋と内蓋と上部に開口部を有する容器本体とからなり、かつ外蓋及び内蓋は容器本体の開口部に脱着出来るようになっている生物農薬用容器において、前記外蓋が通気性を有し、かつ、前記内蓋が通気性を有する材料からなることを特徴とする生物農薬用容器。
【請求項２】  内蓋の通気性材料の細穴（間隙）の大きさが農薬用生物の逃亡を阻止できる大きさである請求項１に記載の容器。
【請求項３】  容器の内蓋が通気性不織布である請求項１又は２に記載の容器。
【請求項４】  容器の内蓋がポリプロピレン製通気性不織布である請求項３記載の容器。
【請求項５】  通気性不織布の坪量が４０〜２００ｇ／ｍ２の範囲である請求項３または４に記載の容器。
【請求項６】  通気性不織布の厚さが０．３ｍｍ〜１．２ｍｍの範囲である請求項３ないし５に記載の容器。
【請求項７】  請求項１ないし６記載の容器内に農薬用生物、増量剤及び／又は該生物の餌を共存させた生物農薬。
【請求項８】  農薬用生物がカブリダニ類である請求項７記載の生物農薬。
【発明の詳細な説明】
【０００１】
【発明の属する技術分野】
本発明は、通気性内蓋を有し、内蓋をはずしたとき内容物を一定量排出来るようにした容器、特に生物農薬による病害虫防除を簡便に行うことの出来る生物農薬製剤に適した容器、および、該容器内に農園芸作物の病害虫防除に有効な生物（以下、農薬用生物と記す）を収納している容器入り農薬に関するものである。
【０００２】
【従来の技術】
これまで外蓋、または外蓋と内蓋に非通気性又は難通気性の蓋を使用し、使用時に該蓋を取り除き、殺虫剤などの農薬を一定量排出できるようにした容器は種々提案されている。また生物農薬の増殖方法やそのための容器に関しても種々の提案がされている。例えば、微小天敵カブリダニ類の増殖に好適な容器と、この容器を用いたカブリダニ類の大量増殖方法と保存あるいは輸送方法に関しては、特開平３−１０８４３３が挙げられる。また、微小天敵カブリダニ類を効率良く抽出できる収納容器およびカブリダニ類の抽出方法としては特開平６−１２５６８７が挙げられる。
【０００３】
【発明が解決しようとする課題】
しかしながら、前述の一定量排出できるようにした容器は中の薬剤の保存安定性等の観点から外蓋、又は外蓋と内蓋の両者に非通気性又は難通気性のものを使用するのが一般的であり、生物農薬の保存散布容器としては適当なものはなかった。生物農薬の増殖方法やそのための容器として提案されているものは、カブリダニ等の生物の増殖や抽出に関しては好適と考えられるが、実際の農作物に、天敵である農薬用生物を効率的かつ均一に散布するのが難しい。
本発明は、農薬用生物を生きたまま保存および輸送でき、一定量の農薬用生物、例えばカブリダニ類を作物へ効率的に施用するのに適する容器および該容器入り農薬の提供を目的としている。  
【０００４】                    
【課題を解決するための手段】  
本発明者らは、上記の課題を解決するために、通気性外蓋と通気性内蓋と容器本体からなる容器を作製し、外蓋には通気性と一定量の製剤が振り出せる機能を設ける為に穴を開けた。即ち、輸送時は外蓋と容器本体の間の通気性内蓋を挟んで密栓する事により、外蓋の穴から空気は通過するが、カブリダニ類等の農薬用生物は、通気性内蓋の通気性を得るための細孔が緻密である為に、容器の外には逃亡できない。また、施用時は、一旦外蓋を開け通気性内蓋を取り除いた後に、再度外蓋のみを容器本体に装着し、容器を１８０度転倒し振り出す事により、生物農薬を外蓋の穴から定量的に一回の振り出しで散布できる事を見いだした。また外蓋の代わりに、容器本体の開口部に一定量の製剤が振り出せる機構を設けても同様な効果が達成される。
【０００５】                
また、本発明の生物農薬用容器の外蓋穴から、一定量の生物農薬を散布処理することが可能かどうか調査した結果、外蓋穴の大きさを変える事により任意の量の生物農薬を、再現性良く振り出す事が可能であり、大量の作物に効率良く散布する事が可能であることが判った。また容器本体開口部に同様な機構を設けても、全く同様な効果が達成される。
【０００６】
従って、本発明は以下の（１）ないし（８）に関するものである。
（１）外蓋と内蓋と上部に開口部を有する容器本体とからなり、かつ外蓋及び内蓋は該容器本体の開口部に脱着出来るようになっている、前記外蓋が通気性を有し、かつ、前記内蓋が通気性を有する材料からなることを特徴とする生物農薬用容器、
（２）該内蓋の通気用の細穴（間隙）の大きさが農薬用生物の逃亡を阻止できる大きさである上記（１）の容器、
（３）該容器の内蓋が通気性不織布（以下、該通気性不織布と記す）である上記（１）項記載の容器、
（４）容器の内蓋がポリプロピレン製通気性不織布である上記（３）項記載の容器、
（５）該通気性不織布の坪量が４０〜２００ｇ／ｍ２の範囲である上記（３）項記載または上記（４）項記載の容器、
（６）該通気性不織布の厚さが０．３ｍｍ〜１．２ｍｍの範囲である上記（３）項ないし上記（５）項記載の容器、
（７）上記（１）項ないし上記（６）項記載の容器内に農薬用生物、増量剤及び／又は該生物の餌を共存させた生物農薬、
（８）農薬用生物がカブリダニ類である上記（７）項記載の生物農薬。
【０００７】
【発明の実施の形態】
以下に本発明を図１を参照にして説明する。
１は、生物農薬用容器の外蓋であり、材質は特に問わないが、例えばプラスチック等で作製され、容器本体とネジ口やはめ込み等の手段で、脱着可能に連結できるようになっている。連結手段は、外蓋が通気性内蓋を介して内容物がこぼれ出さないように容器本体と一体となるよう連結されるものであれば特に限定されない。場合によっては、連結手段は必ずしも外蓋に一体となっている必要はなく、容器本体にあっても、また両者から独立の連結具等で、両者を連結しても良い。
【０００８】
２は、通気性と製剤が振り出せる機能を付与する為に外蓋に開けられた穴であり、図面における場合、穴の形状が円形で、穴の数が１つの場合を示したもので、内容物がふすま等を担体とする生物農薬の場合、その大きさは例えば直径８ｍｍないし３０ｍｍで、好ましくは１０ｍｍないし２０ｍｍであり、より好ましくは１０ｍｍないし１５ｍｍである。通常、該外蓋の穴の形状および大きさは内容物により異なるので一概にはいえないが、形状としては円形が最適である。その大きさは一回の振りで排出させる量により適宜調整され、例えば内容物により、例えば直径１ｍｍないし３０ｍｍ、好ましくは２ｍｍないし２０ｍｍ程度、より好ましくは３ｍｍないし１５ｍｍの円形の穴を外蓋に１ないし複数個開けたものが好ましい。しかしながら、形状、大きさ、数等は内容物により異なるので、予備的な振り出し試験において、必要な一定量を排出出来るように決めることが好ましい。例えば外蓋の大きさ等にもよるが、２ｍｍないし１０ｍｍ程度の穴を複数個、例えば２ないし１０もしくは小さな穴であれば１０個以上開けることも差し支えない。また容器本体の開口部に一定量の製剤を排出できる機構を設けた場合には、外蓋の穴は単に通気性を達成する機能を有すればよい。
【０００９】
３は、通気性内蓋であり、材質は特に問わないが、生物農薬を考える場合、中の該生物が、十分生息出来る量の空気が、外蓋の穴および該通気性内蓋を通して供給される程度の通気性を有すると共に、その通気孔の大きさは、中の該生物の逃亡を防止出来るものである必要がある。このような材質のものとしては、例えば成形性のよいプラスチック（ポリプロピレン等）を挙げられる。この内蓋は容器本体の開口部を完全に覆う大きさであり、かつ該開口部に密着するものが好ましい。例えば、通気性不織布で坪量が４０ｇ／ｍ２〜２００ｇ／ｍ２で、好ましくは７０ｇ／ｍ２〜１５０ｇ／ｍ２であり、外蓋と容器本体の口と同一の大きさに裁断したものである。またこの内蓋は、場合により、例えば容器本体開口部に一定量の製剤を排出できる機構を設けた場合には、外蓋と一体となっていてもよい。
【００１０】
４は生物農薬用容器の本体であり、中に生物農薬等の目的物を収納でき、開口部６が外蓋１と連結出来るようになっていれば特に材質、形、大きさ等は制限がない。一例を挙げれば、例えば５００ｍｌ容のプラスチック製容器であり、上部開口部６は外蓋１とネジ合わせ等の連結手段により連結できるようになっている等が挙げられる。また該開口部に一定量の製剤を排出できる機構を設ける場合には、容器本体の開口部の穴の大きさを調製してもよいし、開口部に、一定量排出できるようにした穴を有する新たな蓋を設けてもよい。
【００１１】
５は、容器中に収納された生物農薬である。本発明の容器に収納される生物農薬としては、通常増量剤および／または農薬用生物の餌と共に農薬用生物を配合して、製剤としたものが使用される。例えばカブリダニ類を含有する製剤の場合、フスマ等を培地（増量剤）としてカブリダニ類等を増殖させ、これを製剤として本発明容器に充填すればよい。増量剤は農薬用生物の種類、製剤の種類等に応じて農薬用増量剤として使用されるものの中から適宜選択して使用すればよい。農薬用生物としては、農園芸用作物の病害虫を防除するのに有効な、例えばカリブダニ、ハナカメムシ、タマバエなどであり、それらの餌としては例えば、コナダニ、貯穀害虫の卵等であり、増量剤としては、例えば、フスマ、バーミキュライト、コルク等が挙げられるが、これらに限定されるものではない。
【００１２】                                                        
本生物農薬用容器は、輸送時には外蓋１と容器本体４の開口部の間に通気性内蓋３を挟んで密栓することにより、外蓋１の穴２と通気性内蓋３を通り、空気は通過するが、カブリダニ等の農薬用微生物は、通気性内蓋の孔が緻密である為に、容器の外には逃亡できない。
収納された生物農薬の散布時には、一旦外蓋１および通気性内蓋３を容器本体４から外して通気性内蓋３を取り除いた後に、再度外蓋１のみを容器本体開口部に連結し、容器を倒立させ、振り出す事により、生物農薬を外蓋の穴２から定量的に散布することができる。また、容器本体の開口部に一定量の製剤を排出できる機構を設けた場合には、外蓋１及び内蓋３を取り除いたまま散布すればよい。散布量は生物農薬の種類、製剤中における農薬用生物の濃度などにより異なるが、通常、一回の転倒で、０．０５ｇないし１ｇ程度の範囲であり、好ましくは０．１ｇないし０．５ｇ程度の範囲である。散布量は外蓋の穴２の大きさや数等を適宜調整することにより、変えることが出来る。
【００１３】
【実施例】
実施例１
容器本体は、５００ｍｌの容積のクレンザー用プラスチック製ボトルを使用した。該ボトルのそれぞれの蓋に、正円形で直径が１１ｍｍ、１２ｍｍ、１４ｍｍの穴を１つ開け、各外蓋を作製した。通気性内蓋として坪量１５０ｇ／ｍ２で、厚さ０．７ｍｍの出光石油化学（株）製ポリプロピレン製不織布（ストラテックＲＷ２１５０（商品名））を使用した。生物農薬製剤としては、カブリダニ（農薬用生物）５万頭およびコナダニ（餌）約７０万頭をフスマ（増量剤）１００ｇに添加混合して、生物農薬製剤とした。該製剤を上記プラスチック製ボトル（容器本体）に入れ、内蓋を挟んで外蓋を該プラスチック製ボトル（容器本体）と連結し、農薬用生物を収納した生物農薬とした。
【００１４】
比較例１
外蓋として、実施例１の生物農薬用容器の外蓋の穴が無い外蓋を使用する以外は、実施例１と全く同じくして農薬用生物を収納した生物農薬を得た。
比較例２
内蓋用に坪量が２０ｇ／ｍ２の出光石油化学（株）製ポリプロピレン製不織布（ストラテックＲＷ２０２０（商品名））を用いる以外、実施例１の穴直径１２ｍｍの外蓋を用いた場合と全く同じくして農薬用生物を収納した生物農薬を得た。
比較例３
内蓋用に坪量が２５０ｇ／ｍ２の不織布を用いる以外、比較例２と全く同様にして、農薬用生物を収納した生物農薬を得た。
【００１５】                                                      
試験例１
実施例１の容器の内蓋を取り除き、再度容器胴部と外蓋を連結し、転倒させて、１回の振り出しで流出する内容物の重量および内容物に含まれるカブリダニ頭数を各５回づつ調査した。
【００１６】
表１  一回振り出しの重量および頭数  
穴直径11mm    穴直径12mm    穴直径14mm  
重量  頭数    重量  頭数    重量  頭数
(g)           (g)           (g)        
１回目   0.15   70     0.21  105     0.42  220
２回目   0.13   68     0.33  165     0.32  175
３回目   0.15   77     0.26  130     0.45  220
４回目   0.18   88     0.28  140     0.42  215
５回目   0.18   95     0.24  120     0.46  232
平均値   0.16   80     0.26  132     0.41  212
偏差%    13.5  14.5    17.1  15.3    13.4  10.3
【００１７】
表中の偏差％は平均値からの偏り、振れ率を意味する。
実施例１の１１〜１４ｍｍの穴径の生物農薬用容器は、生物農薬製剤が再現性良く振り出せた。
【００１８】                                                      
試験例２
実施例１の内、外蓋の穴部直径１２ｍｍの生物農薬用容器を用い、振り出し法による１ショット（振り出し）(平均０．２６ｇ）／１鉢の処理を３０ｃｍ間隔に置いた計１５鉢のナスの株元に連続して行い、処理操作に要する総時間を調査した。
比較例４として、本生物農薬を約０．２６ｇが計量できる計量容器を作製し、実施例１の外蓋と内蓋を外した容器から、一鉢ずつ計量容器で散布処理し、処理に要する総時間を調査した。尚、試験は２回づつ行った。
【００１９】
表２  ナス１５鉢の処理に要した総時間(秒)    
比較例４           実施例１ 
１回目             ９２秒             ３０秒  
２回目             ８７秒             ２８秒 
平均値             ９０秒             ２９秒   
【００２０】
実施例の方法は、計量容器での処理よりも約１／３の時間で散布作業を行うことができた。
【００２１】                                                      
試験例３
実施例１および比較例１の生物農薬用容器に生物農薬（カブリダニ６１３００頭が１００ｇのフスマ培地に均一に棲息している製剤）１００ｇを入れて密栓し、室温状態で室内に４日間静置し、静置後の容器内に生存しているカブリダニ頭数を比較した。  
【００２２】
表３    ４日静置後のカブリダニ生存率
静置前カフ゛リタ゛ニ頭数   静置後カフ゛リタ゛ニ頭数   生存率％ 
実  穴径11mm     ６１，３００        ５１，４００       83.4
施  穴径12mm     ６１，３００        ５１，５００       84.0
例  穴径14mm     ６１，３００        ５２，２００       85.2   
比較例１         ６１，３００        １３，０００       21.2   
【００２３】
外蓋に穴を開けた実施例容器は、４日間放置後も８０％以上の生存率があったが、空気の通気しない比較例１の容器ではカブリダニの生存率が極端に低かった。
【００２４】
試験例４
実施例１の内、外蓋の穴部直径１２ｍｍの生物農薬（本発明容器入りのもの）と比較例２および３の生物農薬（各比較例の容器入りのもの）を、室温状態で室内に４日間静置し、静置後の容器内に生存しているカブリダニ頭数の調査と外蓋又は容器胴部と内蓋の接合部から逃亡するカブリダニを観察比較した。  
【００２５】
表４  ４日間静置後の生存率の比較
内蓋坪  静  置  前    静  置  後    生存率  容器から逃亡した
量g/ｍ２ カフ゛リタ゛ニ頭数   カフ゛リタ゛ニ頭数    (％)   カブリダニ      
実                                                  
施  １   150    ６１，３００  ５１，５００   84.0   逃亡なし
例                                                                  
比  ２    20    ６１，３００  ４５，６００   74.4   外蓋の穴から逃亡
較                                                  多数            
例                                                 
３   250    ６１，３００  ３０．２２０   49.3    逃亡なし。容器内
死亡虫数が多い  
【００２６】
実施例のものは、４日間放置後も８０％以上の生存率があったが、比較例２では内蓋の素材の不織布の坪量が低い（素材密度が低い）影響で、容器外に逃亡するカブリダニを多く確認した。また、比較例３は、内蓋素材の坪量が高い（素材密度が高い）為、逃亡するカブリダニはいないが、空気の通気性が悪くカブリダニの生存率が低下した。
【００２７】
【発明の効果】
本発明の生物農薬用容器を用いる事により、輸送中にカブリダニ類等の生物農薬中の生存頭数を高率で維持でき、実際に大量の農作物に天敵農薬を効率的かつ的確に施用する事ができた。
【００２８】
【図面の簡単な説明】
【図１】本発明の容器の構成を示す見取り図
【符号の説明】
１  外蓋
２  外蓋の穴
３  通気性内蓋
４  容器本体
５  収納された生物農薬
６  容器本体の開口部